(57)【特許請求の範囲】
【請求項１】
洗面ボウルを備えた洗面台本体の上方位置に前面にミラーを備えたキャビネットを配置し、洗面台本体とキャビネットとを壁面に沿わせて立設した背面壁で連結し、上面が洗面化粧台の上面に直に面する収納スペースにおける棚として使用される立ち上り部を洗面台本体の上面後部に形成し、上記立ち上り部の前面に洗面ボウルに吐水するカランと上下に亙って後方に凹没させた収納空所とを並設し、収納空所から斜め上方に突起体を突設し、上記突起体にはその突出方向の中央部に節部を設けると共に、上記突起体の節部より前方の部位が節部より後方の部位に比べて上方に向けて傾斜するように突起体の突出角度を２段階に傾斜させ、板状のトレイを背面壁に沿わせつつ立ち上り部の上面に開口した収納空所の上方開口に架け渡すようにして設置し、このトレイに設けた貫通穴に上記突起体を着脱自在に嵌合したことを特徴とする洗面化粧台。
【請求項２】
上記突起体は、収納空所に沿わせる板面部と、上記板面部の前面から前方且つ斜め上方に突出してトレイの貫通穴に嵌合させる突出棒と、板面部の後面から後方に突出して収納空所に貫通させた位置決め孔に嵌合させる位置決め突起と、板面部の後面から後方に突出して収納空所内に貫通させた取付孔に貫通させるおねじ突起とから成り、上記位置決め孔に位置決め突起を嵌合しつつ上記取付孔におねじ突起を挿通し、立ち上り部の内部に位置させたおねじ突起にナットを締結し、板面部とナットとで収納空所を挟持したことを特徴とする請求項１に記載の洗面化粧台。
【発明の詳細な説明】
【０００１】
【発明の属する技術分野】
本発明は、洗面化粧台に関する発明であって、詳しくは、洗面化粧台の収納スペースを使用状態に応じて多く確保するような技術に関する発明である。
【０００２】
【従来の技術】
従来から、洗面化粧台は、図６に示すように、洗面ボウル３を備えた洗面台本体１の上方位置に前面にミラー４を備えたキャビネット２を配置し、キャビネット２の下端と洗面台本体１の上端とを壁面に沿わせた背面壁５で連結させて構成されている。この洗面化粧台にあっては、洗顔や整髪等に使用する様々な洗顔料や整髪料等の収納物を使い勝手よく収納させるように洗面台本体１の上面に収納スペースをより多く確保することが求められている。この例の洗面化粧台にあっては、洗面ボウル３が開口する洗面台本体１の上面の後部には上面を棚とする立ち上り部６を形成して立ち上り部６の上面に収納物の収納スペースを設けると共に、上記立ち上り部６の前面に上方に開口する収納空所７を設けて上記立ち上り部６の上面の収納スペースに収納できない丈の高い収納物を収納できるようにしてある。
【０００３】
【発明が解決しようとする課題】
しかしながら、収納空所７に立ち上り部６の高さ寸法よりも丈の低い収納物を収納した際には、収納空所７の上方空間Ａは何にも使用されないスペースを形成させてしまうことになり、この場合にも上記収納空所７の上方空間Ａの有効利用が期待されるものであった。
【０００４】
本発明は上記の点に鑑みてなされたものであり、収納空所の上方空間を確実に収納物の収納スペースとして利用できるような洗面化粧台を提供することを課題とするものである。
【０００５】
【課題を解決するための手段】
上記課題を解決するために本発明に係る洗面化粧台は、洗面ボウル３を備えた洗面台本体１の上方位置に前面にミラー４を備えたキャビネット２を配置し、洗面台本体１とキャビネット２とを壁面に沿わせて立設した背面壁５で連結し、上面が洗面化粧台１の上面に直に面する収納スペースにおける棚として使用される立ち上り部６を洗面台本体１の上面後部に形成し、上記立ち上り部６の前面に洗面ボウル３に吐水するカラン９と上下に亙って後方に凹没させた収納空所７とを並設し、立ち上り部６の上面に開口した収納空所７の上方開口７ａに架け渡すように板状のトレイ８を着脱自在に設置したことを特徴とする。これによると、立ち上り部６の上面に開口した収納空所７の上方開口７ａに架け渡すように板状のトレイ８を着脱自在に設置したので、収納空所７に立ち上り部６の高さ寸法よりも丈の高い収納物を収納した際にはトレイ８を設置しないでおき、また、収納空所７に立ち上り部６の高さ寸法よりも丈の低い収納物を収納した際にはトレイ８を収納空所７の上方開口７ａに架け渡すように設置するといったように、洗面化粧台の使用者の使用状態に応じてトレイ８を所定位置に選択的に設置させることができ、立ち上り部６の高さ寸法よりも大きな収納物を収納空所７に収納させないとデッドスペースになってしまうおそれのある収納空所７の上方空間Ａを常に収納スペースとして利用することができるのである。
【０００６】
また、収納空所７から斜め上方に突起体１７を突設し、上記突起体１７にはその突出方向の中央部に節部２７を設けると共に、上記突起体１７の節部２７より前方の部位が節部２７より後方の部位に比べて上方に向けて傾斜するように突起体１７の突出角度を２段階に傾斜させ、背面壁５に沿わせつつ収納空所７の上方開口７ａに設置したトレイ８ａの貫通穴１６に上記突起体１７を嵌合したことを特徴とする。これによると、トレイ８ａを所定位置に設置するには、突出方向の中央部に節部２７を設けると共に突起体１７の節部２７より前方の部位が節部２７より後方の部位に比べて上方に向けて傾斜するように突出角度を２段階に形成させて収納空所７に突設させた突起体１７を、背面壁５の前面に後端面を沿わせつつ収納空所７の上方開口７ａに配置したトレイ８ａの貫通穴１６に嵌合させることで行われるので、トレイ８ａを所定位置に設置した状態では、２段階の傾斜角度に形成された突起体１７に合わせて２方向にトレイ８ａをスライドさせねば突起体１７からトレイ８ａが取り外せないといったようにトレイ８ａを上下方向の位置規制が為された状態にすると共に、背面壁５及び貫通穴１６に嵌合した突起体１７によってトレイ８ａを水平方向の位置規制が為された状態にすることができ、つまり、所定位置に突起体１７を介してトレイ８ａを設置させた場合には、トレイ８ａは衝撃が負荷されても設置位置からズレたり外れたりしない程の強固な状態で所定位置に設置させることができるのである。
【０００７】
また、請求項２の洗面化粧台にあっては、請求項１において、上記突起体１７は、収納空所７に沿わせる板面部１８と、上記板面部１８の前面から前方且つ斜め上方に突出してトレイ８ａの貫通穴１６に嵌合させる突出棒１９と、板面部１８の後面から後方に突出して収納空所７に貫通させた位置決め孔２２に嵌合させる位置決め突起２０と、板面部１８の後面から後方に突出して収納空所７内に貫通させた取付孔２３に貫通させるおねじ突起２１とから成り、上記位置決め孔２２に位置決め突起２０を嵌合しつつ上記取付孔２３におねじ突起２１を挿通し、立ち上り部６の内部に位置させたおねじ突起２１にナット２６を締結し、板面部１８とナット２６とで収納空所７を挟持したことを特徴とする。これによると、収納空所７に突起体１７を突設させる際には、おねじ突起２１にナット２６を締結させて板面部１８とナット２６とで収納空所７を挟持して行わせるものであるが、このとき、位置決め孔２２と位置決め突起２０との嵌合は、突起体１７の位置決めをすると共にナット２６のおねじ突起２１への螺合による突起体１７の回転を抑える働きをするものであり、つまり位置決めした状態で突起体１７を押さえてナット２６をおねじ突起２１に締結させるといった施工者に負担のかかる作業を無くすることができ、突起体１７の収納空所７への組付け作業の容易化を図ることができるのである。
【０００８】
【発明の実施の形態】
以下、本発明を添付図面に示す実施形態に基づいて説明する。
【０００９】
図１乃至図５に本発明の実施の形態の例を示す。図１に示すように洗面化粧台は、洗面ボウル３を備えた洗面台本体１の上方位置に前面にミラー４を備えたキャビネット２を配置し、キャビネット２の下端と洗面台本体１の上端とを壁面に沿わせた背面壁５で連結して構成されている。洗面ボウル３が開口する洗面台本体１の上面の後部には立ち上り部６が上方に立ち上がるように形成されている。この立ち上り部６は、その前面には洗面ボウル３に吐水するカラン９や上記吐水の温度設定をする温度調節杆１０が設けられるものであって、その内部には上記カラン９に接続する給水管等の配設スペースを確保することから、前後に厚みを有する略函状に形成されるものである。そして、前後に厚みを有すると共に略水平面状に形成した立ち上り部６の上面にあっては、洗面台本体１の上面における空間を収納スペースとして利用できるように棚部として使用される。この立ち上り部６の上面の後部には、上記立ち上り部６の上面に飛び跳ねた水が洗面台本体１の後方に入り込むのを防止するために、壁面に沿って立ち上がる立設片５ａが設けられている。一方、キャビネット２は、上部に配置されて洗面化粧台を照らす照明部１１と、上記照明部１１の下方位置に配置されて前面にミラー４を貼着した扉体１３を備えると共に上記扉体１３の後方部分に棚を架設して収納スペースを設けたキャビネット部１２と、上記キャビネット部１２の下端後方から壁面に沿って垂下する垂下片５ｂとで構成されている。この垂下片５ｂはその下端で洗面台本体１の立設片５ａの上端に連結し、つまり垂下片５ｂと立設片５ａとで上記背面壁５を形成させているのである。
【００１０】
本例の洗面台本体１にあっては、立ち上り部６の内部に配設する給水管等の配置を集中させて立ち上り部６の内部に何も配置しない空所を形成し、上記空所を利用して立ち上り部６の前面を後方に凹没させた収納空所７を設けている。この収納空所７は立ち上り部６の上下に亙るように設けられており、つまり収納空所７は前方開口及び上方開口を有しているのである。この収納空所７は洗面化粧台の上面における収納スペースとして使用されるものである。収納空所７及び立ち上り部６の上面における収納スペースは、キャビネット２のキャビネット部１２に設けた収納スペースとは異なり、洗面化粧台の上面に直に面する収納スペースであるので、洗面化粧台を使用するにあたって使い勝手のよい収納スペースである。特にこの収納空所７における収納スペースは、立ち上り部６の上面における収納スペースと比べて、キャビネット２のキャビネット部１２の下端までの高さ寸法が大きく形成された収納スペースであるので、立ち上り部６の上面における収納スペースに収納させ得なかった丈の高い洗顔料や整髪料等の収納物を収納させることができるといった利点がある。従来技術でも述べたが、収納空所７における収納スペースに立ち上り部６の高さ寸法よりも丈の低い収納物を収納した際にはこの収納空所７の上方空間Ａは何にも使用されない空所になってしまうので、このような場合本例では以下に述べるように、立ち上り部６の上面に開口する収納空所７の上方開口７ａに蓋をするように上記立ち上り部６の上面における収納空所７の上方開口７ａの縁部分に板状のトレイ８を架け渡すと共に、上記トレイ８の上に収納物を載置させ得るようにし、洗面化粧台の使用状態（収納空所７に収納させる収納物の大きさ）に応じて常にこの収納空所７の上方空間Ａを収納スペースとして利用できるようにすることが行われる。
【００１１】
図２には本例のトレイ８ａを示す。このトレイ８ａは水平板状の上板部１４と上記上板部１４の後端部分から垂下した脚部１５とで構成されている。このトレイ８ａの後端面は洗面台本体１の立設片５ａの前面に沿わせて当接させるように直線状に形成されており、また、脚部１５には前方に行くほど上方に位置するような傾斜をもたせて形成した貫通穴１６が設けられている。そして、このトレイ８ａを収納空所７の上方開口７ａに蓋をするように設置するにあたっては、その後端面を洗面台本体１の立設片５ａの前面に沿わせつつ、脚部１５の貫通穴１６に後述する収納空所７から前方且つ斜め上方に突設した突起体１７を嵌めることで行われる。
【００１２】
突起体１７は、図３に示すように、収納空所７内の立ち上り部６の前面に沿わせる板面部１８と、上記板面部１８の前面から前方且つ斜め上方に突出した突出棒１９と、板面部１８の後面から後方に突出した位置決め突起２０及びおねじ突起２１とから構成されるものである。そして、この突起体１７は収納空所７に前方且つ斜め上方に突設されるものであるが、これは、収納空所７内の立ち上り部６の前面に前後に貫通させた位置決め孔２２及び取付孔２３に対して、位置決め孔２２に前方から位置決め突起２０を嵌合させると共に取付孔２３におねじ突起２１を前方から挿入し、板面部１８を収納空所７内の立ち上り部６の前面にパッキン２４を介在させて当接し、取付孔２３に挿通して立ち上り部６の内部に突出したおねじ突起２１に後方から座金２５及びナット２６を締結させ、板面部１８とナット２６とで収納空所７内の立ち上り部６の前面を前後に挟持させることで、突起体１７は前方且つ斜め上方に突出棒１９を突出させた状態にして収納空所７内に取り付けられるのである。この突起体１７の収納空所７への取付作業においておねじ突起２１にナット２６を螺合させる際には、突起体１７におねじ突起２１廻りの回転モーメントがかかるものであるが、位置決め突起２０と位置決め孔２２との嵌合は上記回転モーメントによる突起体１７の回転を抑える働きをするのである。また、位置決め突起２０と位置決め孔２２との嵌合は突起体１７の回転方向の位置決めを同時に行うものであることから、ナット２６のおねじ突起２１への締結作業にあっては、施工者が突起体１７を位置決めした状態で押さえつけなくてもナット２６のおねじ突起２１への締結が行えるようにしていることから、施工者に負担となる作業を軽減させて突起体１７の収納空所７への組付け作業の容易化が図られているのである。また、上記突起体１７の突出棒１９にあっては、その突出方向の中央部に節部２７を設けると共に、上記突出棒１９の節部２７より前方の部位が突出棒１９の節部２７より後方の部位に比べて上方に向けて傾斜するように突出棒１９の突出角度を２段階に形成させている。
【００１３】
上記トレイ８ａは、その上板部１４の後端面を洗面化粧台の背面壁５に沿わせつつ収納空所７の上方開口７ａに架け渡して配置され、収納空所７の立ち上り部６の前面に取り付けた突起体１７を介して固定設置されるものであるが、これは図４に示すように行われる。まず、収納空所７の立ち上り部６の前面から前方且つ斜め上方に突出した突出棒１９の先端にトレイ８ａの脚部１５に設けた貫通穴１６を臨ませるように近接させ、貫通穴１６に突出棒１９の先端を貫通させるように嵌め込み［図４（ａ）］、そのままトレイ８ａを突出棒１９の節部２７より前方の部位の傾斜角度に合わせて後方且つ下方にスライドさせ［図４（ｂ）］、貫通穴１６が突出棒１９の節部２７を通過したところでトレイ８ａを突出棒１９の節部２７より後方の部位の傾斜角度に合わせて後方且つ下方にスライドさせ［図４（ｃ）］、突出棒１９の基部が貫通穴１６と嵌合し、上板部１４の下面が立ち上り部６の上面に載置された状態でトレイ８ａが所定位置に設置される［図４（ｄ），図５］。なお、所定位置に設置されたトレイ８ａを取り外すには上述したトレイ８ａの所定位置への設置手順を逆に行えばよく、まず、節部２７より後方の部位の突出棒１９における傾斜角度に合わせてトレイ８ａを前方且つ上方にスライドさせ、次に、節部２７より前方の部位の突出棒１９における傾斜角度に合わせてトレイ８ａを前方且つ上方にスライドさせることで行われる。つまり２方向にトレイ８ａをスライドさせねばトレイ８ａは突起体１７から取り外せないようになっている。
【００１４】
上述したようにトレイ８ａを所定位置に設置した状態では、２段階の傾斜角度に形成された突起体１７に合わせて２方向にトレイ８ａをスライドさせねば突起体１７からトレイ８ａが取り外せないといったようにトレイ８ａは上下方向の位置規制が為された状態になっており、また、背面壁５及び貫通穴１６に嵌合した突起体１７によってトレイ８ａは水平方向にも位置規制が為された状態になっている。しかして、所定位置に設置されたトレイ８ａにあっては、トレイ８ａにたとえ衝撃が上方に向けてかかった場合でもトレイ８ａは突起体１７から外れてしまうことがなく、また、トレイ８ａにたとえ衝撃が水平方向にかかった場合でも突起体１７が貫通穴１６に引っ掛かると共に上板部１４の後端面が洗面化粧台の背面壁５に引っ掛かることからトレイ８ａがずれてしまうこともないのである。このようにトレイ８ａは衝撃が負荷されても設置位置からズレたり外れたりしない程の強固な状態で所定位置に設置されるのである。
【００１５】
このように所定位置に設置したトレイ８ａにあっては、トレイ８ａに収納物を載せて収納することで、収納空所７の上方空間Ａを使い勝手のよい洗面台本体１の上面における新たな収納スペースとして活用させることができる。そして、これは特に収納空所７における収納スペースに立ち上り部６の高さ寸法よりも丈の低い収納物を収納した際に有効である。つまり、収納空所７の上方空間Ａは、収納空所７に立ち上り部６の高さ寸法以上の収納物を収納させた際には収納スペースとして利用されるも、収納空所７に立ち上り部６の高さ寸法以下の収納物を収納させた際には収納スペースとして利用されないものであったが、この収納空所７に立ち上り部６の高さ寸法以下の収納物を収納させた際に所定位置にトレイ８ａを設置することで、上記上方空間Ａを収納スペースとして活用できるのである。このように収納空所７に立ち上り部６の高さ寸法よりも丈の低い収納物を収納した際にはトレイ８ａを設置しないでおき、また、収納空所７に立ち上り部６の高さ寸法よりも丈の低い収納物を収納した際にはトレイ８ａを収納空所７の上方開口７ａに架け渡すように設置するといったように、洗面化粧台の使用者の使用状態に応じてトレイ８ａを所定位置に選択的に設置させることで、寸法よりも大きな収納物を収納空所７に収納させないとデッドスペースになってしまうおそれのある収納空所７の上方空間Ａを常に収納スペースとして利用することができるのである。
【００１６】
なお、トレイ８ａの脚部１５を弾性体で構成させることも好ましく、これによると、突起体１７の突出棒１９の貫通穴１６への嵌合が弾接状態で行われることから、所定位置に設置したトレイ８ａのがたつきを緩和させることができるのである。
【００１７】
また、本例において、突起体１７を金属製にすると共にトレイ８ａを樹脂製にすることも好ましく、これによると、所定位置に設置したトレイ８ａに衝撃等によってかなり大きな荷重がかかった場合には、はじめにトレイ８ａを破損させることができて上記荷重の洗面台本体１等への伝播を防ぎ、洗面台本体１の損傷を回避させることができるのである。ここで破損されるトレイ８ａは洗面台本体１に比べて取替が容易なものであるから経済的である。
【００１８】
【発明の効果】
上記のように本発明の請求項１記載の発明にあっては、叙述したように、立ち上り部の上面に開口した収納空所の上方開口に架け渡すように板状のトレイを着脱自在に設置したので、収納空所に立ち上り部の高さ寸法よりも丈の高い収納物を収納した際にはトレイを設置しないでおき、また、収納空所に立ち上り部の高さ寸法よりも丈の低い収納物を収納した際にはトレイを収納空所の上方開口に架け渡すように設置するといったように、洗面化粧台の使用者の使用状態に応じてトレイを所定位置に選択的に設置させることができ、これによると立ち上り部の高さ寸法よりも大きな収納物を収納空所に収納させないとデッドスペースになってしまうおそれのある収納空所の上方空間を常に収納スペースとして利用することができるのである。
【００１９】
また、収納空所から斜め上方に突起体を突設し、上記突起体にはその突出方向の中央部に節部を設けると共に、上記突起体の節部より前方の部位が節部より後方の部位に比べて上方に向けて傾斜するように突起体の突出角度を２段階に傾斜させ、背面壁に沿わせつつ収納空所の上方開口に設置したトレイの貫通穴に上記突起体を嵌合したので、トレイを所定位置に設置した状態では、２段階の傾斜角度に形成された突起体に合わせて２方向にトレイをスライドさせねば突起体からトレイが取り外せないといったようにトレイを上下方向の位置規制が為された状態にすると共に、背面壁及び貫通穴に嵌合した突起体によってトレイを水平方向の位置規制が為された状態にすることができ、つまり、突起体を介してトレイを所定位置に設置させた場合には、トレイは衝撃が負荷されても設置位置からズレたり外れたりしない程の強固な状態で所定位置に設置させることができるのである。
【００２０】
また、請求項２記載の発明にあっては、請求項１の効果に加えて、上記突起体は、収納空所に沿わせる板面部と、上記板面部の前面から前方且つ斜め上方に突出してトレイの貫通穴に嵌合させる突出棒と、板面部の後面から後方に突出して収納空所に貫通させた位置決め孔に嵌合させる位置決め突起と、板面部の後面から後方に突出して収納空所内に貫通させた取付孔に貫通させるおねじ突起とから成り、上記位置決め孔に位置決め突起を嵌合しつつ上記取付孔におねじ突起を挿通し、立ち上り部の内部に位置させたおねじ突起にナットを締結し、板面部とナットとで収納空所を挟持したので、収納空所に突起体を突設させる際には、おねじ突起にナットを締結させて板面部とナットとで収納空所を挟持して行わせるものであるが、このとき、位置決め孔と位置決め突起との嵌合は、突起体の位置決めをすると共にナットのおねじ突起への螺合による突起体の回転を抑える働きをするものであり、つまり施工者に位置決めした状態で突起体を押さえてナットのおねじ突起への締結をさせるといった負担となる作業を強いるものではなく、突起体の収納空所への組付け作業の容易化を図ることができるのである。
【図面の簡単な説明】
【図１】本発明の実施の形態の例を示す洗面化粧台の斜視図である。
【図２】同上のトレイを示すものであり、（ａ）は上面図であり、（ｂ）は正面図であり、（ｃ）は側面図であり、（ｄ）は後面図であり、（ｅ）は下面図であり、（ｆ）は（ｅ）のＢ−Ｂ線断面図である。
【図３】同上の洗面台本体の上部構成部品を示すものであり、（ａ）は上面図であり、（ｂ）は側面図であり、（ｃ）は正面図であり、（ｄ）は（ｃ）のＣ−Ｃ線断面図である。
【図４】（ａ）〜（ｄ）は同上のトレイの設置手順を説明する説明図である。
【図５】同上のトレイを設置した状態の洗面台本体の上部構成部品を示すものであり、（ａ）は上面図であり、（ｂ）は側面図であり、（ｃ）は正面図である。
【図６】従来技術の洗面化粧台の斜視図である。
【符号の説明】
１ 洗面台本体
２ キャビネット
３ 洗面ボウル
４ ミラー
５ 背面壁
５ａ 立設片
５ｂ 垂下片
６ 立ち上り部
７ 収納空所
８ トレイ
８ａ トレイ
１６ 貫通穴
１７ 突起体
１９ 突出棒
２７ 節部
【図１】
0003832337.tif 000002
【図２】
0003832337.tif 000003
【図３】
0003832337.tif 000004
【図４】
0003832337.tif 000005
【図５】
0003832337.tif 000006
【図６】
0003832337.tif 000007